(57)【要約】      （修正有）【課題】ソーラーパネルを台車に、簡単かつ短時間に取付けることができると共に、ソーラーパネルの角度を変更させること。【解決手段】水平支持台２下面に走行車輪３を有する台車１と、この台車に設けられた台車用把手４と、水平支持台に設けられた脚状支持部材５と、この脚状支持部材の上端部に水平軸部９を介して揺動可能に設けられたソーラーパネル６と、ソーラーパネル又は水平支持台のいずれか一方に設けられ、ソーラーパネルが発電した電力を充電する電源を備える電源供給走行台車Ｘ１であって、ソーラーパネルの下面乃至脚状支持部材の上端部に、ソーラーパネルを回動させる角度変更手段５ａが設けられ、この角度変更手段は、脚状支持部材の上端部の断面凹所状嵌合部と、ソーラーパネル下面に垂下片８を介して設けられ断面凹所状嵌合部に着脱自在に嵌合する水平軸部であることを特徴とする。【選択図】図１
2020082832.tif 000002
【特許請求の範囲】
【請求項１】
水平支持台の下面に複数の走行車輪を有する台車と、この台車に固定的に設けられた台車用把手と、前記水平支持台に固定的に設けられた脚状支持部材と、この脚状支持部材の上端部に水平軸部を介して揺動可能に設けられたソーラーパネルと、少なくとも前記ソーラーパネル又は前記水平支持台のいずれか一方に設けられ、かつ、前記ソーラーパネルが発電した電力を充電する電源を備える電源供給走行台車であって、前記ソーラーパネルの下面乃至前記脚状支持部材の上端部には、該ソーラーパネルを少なくとも傾斜姿勢から略水平姿勢へと回動させる角度変更手段が設けられ、この角度変更手段は、脚状支持部材の上端部に設けられた断面凹所状嵌合部と、前記ソーラーパネルの下面に垂下片を介して設けられかつ前記断面凹所状嵌合部に着脱自在に嵌合する前記水平軸部であることを特徴とする電源供給走行台車。
【請求項２】
請求項１の電源供給走行台車に於いて、前記水平軸部はソーラーパネルの略中央部に設けられ、また、前記脚状支持部材に係合部を設け、さらに、紐状連結部材の一端部をソーラーパネルの一端部側の第１連結具に取付け、その中途部を前記係合部に係合させた状態で他端部を前記ソーラーパネルの他端部側の第２連結具に取り付けたことを特徴とする電源供給走行台車。
【請求項３】
請求項１の電源供給走行台車に於いて、前記水平軸部はソーラーパネルの一端部側に設けられ、また、前記角度変更手段は、平面視略コ字形状の所定長の連結杆と、ソーラーパネルの架台の略中央部に設けられかつ前記連結杆の一端部が係入する単数又は複数の第１係止穴と、一方、脚状支持部材に設けられかつ前記連結杆の他端部が係入する単数又は複数の第２係止穴であることを特徴とする電源供給走行台車。
【請求項４】
水平支持台の下面に複数の走行車輪を有する台車と、この台車に固定的に設けられた台車用把手と、前記水平支持台に固定的に設けられた脚状支持部材と、この脚状支持部材の上端部に水平軸部を介して揺動可能に設けられたソーラーパネルと、少なくとも前記ソーラーパネル又は前記水平支持台のいずれか一方に設けられ、かつ、前記ソーラーパネルが発電した電力を充電する電源を備える電源供給走行台車であって、前記ソーラーパネル乃至前記脚状支持部材の上端部には、該ソーラーパネルを少なくとも傾斜姿勢から略水平姿勢へと回動させる角度変更手段が設けられ、この角度変更手段は、前記脚状支持部材に形成された略水平姿勢用の上方の支持孔及び傾斜姿勢用下方の支持孔と、これらの支持孔に選択的に差し込まれる係止棒と、この係止棒に止められ、かつ、前記脚状支持部材に着脱自在に外嵌合する調整筒と、この調整筒に下端部が枢支され、一方、上端部が前記ソーラーパネルに取付けられ枢支部材に軸支された支持腕と、前記枢支部材に対して所定間隔離れていると共に前記ソーラーパネルの一端部側に取付けられた蝶番手段と、この蝶番手段の可動端板に固定され、前記脚状支持部材の上端部に着脱自在に嵌合する固定嵌合筒とから成る、ことを特徴とする電源供給走行台車。
【請求項５】
水平支持台の下面に複数の走行車輪を有する台車と、この台車に固定的に設けられた台車用把手と、前記水平支持台に固定的に設けられた脚状支持部材と、この脚状支持部材の上端部に水平軸部を介して揺動可能に設けられたソーラーパネルと、少なくとも前記ソーラーパネル又は前記水平支持台のいずれか一方に設けられ、かつ、前記ソーラーパネルが発電した電力を充電する電源を備える電源供給走行台車であって、前記ソーラーパネル乃至前記脚状支持部材の上端部には、該ソーラーパネルを少なくとも傾斜姿勢から略水平姿勢へと回動させる電動の角度変更手段が設けられ、この電動の角度変更手段は、前記脚状支持部材又は前記水平支持台のいずれかに設けられ、かつ、制御部にその駆動が制御される駆動手段であり、この駆動手段は、前記電源を利用する電動モータを含み、この電動モータの駆動力によってシリンダ本体から進退動する作動杆の突出先端部は、前記ソーラーパネルの前記水平軸部から所要間隔離間した該ソーラーパネルの適宜箇所に軸支されていることを特徴とする電源供給走行台車。
【請求項６】
請求項５の電源供給走行台車に於いて、駆動手段のシリンダ本体は、脚状支持部材に固定された上端開口の保持箱に差し込み自在に装着されていることを特徴とする電源供給走行台車。 
【発明の詳細な説明】
【技術分野】
【０００１】
本発明は、建物の屋上やベランダ、建物の敷地、船舶の甲板、畑、港、市場、避難場所等で利用することができる電源供給走行台車に関する。
【背景技術】
【０００２】
特許文献１の図１には、「把手２４及び車輪２を有する台車１と、この台車１の上面に設けられた支柱９を、この支柱９の上端部に揺動可能に取付けられたソーラーパネル８と、前記台車１に設置された蓄電池２２と、この蓄電池の電力を利用する照明灯１５を備えた移動式照明装置」が記載されている。
【０００３】
そして、特許文献１の図７には、支柱９の上端部にソーラーパネル８を水平状態乃至揺動可能に取付ける構造（縦方向回転調節手段ａ、水平回転調節手段ｂ）が記載されている。しかして、該特許文献１の縦方向回転調節手段ａは、ソーラーパネル８の下面より突設した取付け片８ａと、この取付け片８ａを支柱９の上部に水平回転調節可能に取り付けた２叉状の保持部材１０と、ソーラーパネル８を保持部材１０の一対の保持腕１０ａ、１０ａへ回転可能に取り付ける調節ナット１１ａ付きの支持シャフト１１と、一対の保持腕１０ａ、１０ａに設けたガイド溝１０ｂ、１０ｂと、このガイド溝１０ｂ、１０ｂと係合して取付け片８ａに取り付けられたガイド用の締付ボルト１２とで構成されている。また、該特許文献１の水平回転調節手段ｂは、支柱９の上端側に被せた筒状の取付け筒体１３と、この取付け筒体１３の外側に取り付けた複数の締付ボルト１４、１４とで構成されている。
【０００４】
この特許文献１は、台車１上に設置されたソーラーパネル、蓄電池、照明灯を備え、前記ソーラーパネルはソーラーパネル用支柱を介して縦方向及び又は水平方向へ回転調節可能に取り付けられ、しかも、前記ソーラーパネルで発電された電気を蓄電して照明灯を点灯させることができる、一日の発電量を増やすことができる、所望する場所で利用することができる等の利点があるものの、ソーラーパネル８を水平状態乃至揺動可能に取付ける構造（縦方向回転調節手段ａ、水平回転調節手段ｂ）が非常に複雑であるという問題点があった。また、例えば蓄電池の電力を電源として駆動する電動モータ、制御部等を利用して、太陽光の入射角度に合わせてソーラーパネルの向きを自動的に制御することができないので、一日の発電量を十分に増やすことができないという問題点もあった（符号は特許文献１のもの）。
【０００５】
また特許文献２にも、特許文献１と同様の構成が記載されている。すなわち、特許文献２には、「温室やビニールハウスなどの施設内を走行移動し、作業を行う移動作業台車１であって、移動作業台車１に、バッテリ１３を電源として作動する送風ファン１１を、上下高さ、水平角度、前後角度をそれぞれ調節可能に設け、主として作業者に向け送風するようにした移動作業台車」が記載されている。
【０００６】
この特許文献２の移動作業台車は、ソーラーパネル１６により発電した電力をバッテリ１３に充電することができることから、商業用の電気配線の整備されていない施設、例えばビニールハウスで、送風ファン１１を駆動するために前記バッテリ１３に蓄積された電力を利用することができるという利点があるものの、本願発明の如く、ソーラーパネル１６を支柱１４に簡単に取り付ける構造、またソーラーパネル１６を蓄電池の電力を電源として駆動する電動モータ、制御部等を利用して太陽光の入射角度に合わせてソーラーパネルの向きを自動的に傾倒させる構成等が記載され、示唆されていない（符号は特許文献２のもの）。
【先行技術文献】
【特許文献】
【０００７】
【特許文献１】特開２０１２−２４３５３２号公報の図１及び図７
【特許文献２】特開２００６−７３号公報
【発明の概要】
【発明が解決しようとする課題】
【０００８】
本発明の主たる課題は、特許文献１や特許文献２の問題点に鑑み、ソーラーパネル、駆動手段のシリンダ本体等を台車の脚状支持部材に、簡単かつ短時間に取付けることができると共に、手動又は電動により、ソーラーパネルの角度を変更させ、１日当たりの発電量を増やすことができることである。本発明の第２の目的は、ソーラーパネルと電源（バッテリィー）とを簡単に接続することができることである。その他の目的は、ソーラーパネルが強風により、脚状支持部材から外れて落ちないようにすることである。
【課題を解決するための手段】
【０００９】
本発明の電源供給走行台車は、水平支持台の下面に複数の走行車輪を有する台車と、この台車に固定的に設けられた台車用把手と、前記水平支持台に固定的に設けられた脚状支持部材と、この脚状支持部材の上端部に水平軸部を介して揺動可能に設けられたソーラーパネルと、少なくとも前記ソーラーパネル又は前記水平支持台のいずれか一方に設けられ、かつ、前記ソーラーパネルが発電した電力を充電する電源を備える電源供給走行台車であって、前記ソーラーパネルの下面乃至前記脚状支持部材の上端部には、該ソーラーパネルを少なくとも傾斜姿勢から略水平姿勢へと回動させる角度変更手段が設けられ、この角度変更手段は、脚状支持部材の上端部に設けられた断面凹所状嵌合部と、前記ソーラーパネルの下面に垂下片を介して設けられかつ前記断面凹所状嵌合部に着脱自在に嵌合する前記水平軸部であることを特徴とする（請求項１）。このように構成すると、ソーラーパネルを台車の脚状支持部材に、簡単かつ短時間に取付けることができると共に、手動により、ソーラーパネルの角度を変更させ、１日当たりの発電量を増やすことができる。
【００１０】
上記構成に於いて、前記水平軸部はソーラーパネルの略中央部に設けられ、また、前記脚状支持部材に係合部を設け、さらに、紐状連結部材の一端部をソーラーパネルの一端部側の第１連結具に取付け、その中途部を前記係合部に係合させた状態で他端部を前記ソーラーパネルの他端部側の第２連結具に取り付けたことを特徴とする（請求項２）。このように構成すると、ソーラーパネルが強風により、脚状支持部材から外れて落ちないようにすることができる。また前記水平軸部はソーラーパネルの一端部側に設けられ、また、前記角度変更手段は、平面視略コ字形状の所定長の連結杆と、ソーラーパネルの架台の略中央部に設けられかつ前記連結杆の一端部が係入する単数又は複数の第１係止穴と、一方、脚状支持部材に設けられかつ前記連結杆の他端部が係入する単数又は複数の第２係止穴であることを特徴とする（請求項３）。このように構成すると、手動により、ソーラーパネルの角度を変更させ、１日当たりの発電量を増やすことができる。
【００１１】
また本発明の電源供給走行台車は、水平支持台の下面に複数の走行車輪を有する台車と、この台車に固定的に設けられた台車用把手と、前記水平支持台に固定的に設けられた脚状支持部材と、この脚状支持部材の上端部に水平軸部を介して揺動可能に設けられたソーラーパネルと、少なくとも前記ソーラーパネル又は前記水平支持台のいずれか一方に設けられ、かつ、前記ソーラーパネルが発電した電力を充電する電源を備える電源供給走行台車であって、前記ソーラーパネル乃至前記脚状支持部材の上端部には、該ソーラーパネルを少なくとも傾斜姿勢から略水平姿勢へと回動させる角度変更手段が設けられ、この角度変更手段は、前記脚状支持部材に形成された略水平姿勢用の上方の支持孔及び傾斜姿勢用下方の支持孔と、これらの支持孔に選択的に差し込まれる係止棒と、この係止棒に止められ、かつ、前記脚状支持部材に着脱自在に外嵌合する調整筒と、この調整筒に下端部が枢支され、一方、上端部が前記ソーラーパネルに取付けられ枢支部材に軸支された支持腕と、前記枢支部材に対して所定間隔離れていると共に前記ソーラーパネルの一端部側に取付けられた蝶番手段と、この蝶番手段の可動端板に固定され、前記脚状支持部材の上端部に着脱自在に嵌合する固定嵌合筒とから成ることを特徴とする（請求項４）。このように構成しても、ソーラーパネルを台車の脚状支持部材に、簡単かつ短時間に取付けることができると共に、手動により、ソーラーパネルの角度を変更させ、１日当たりの発電量を増やすことができる。
【００１２】
さらに、本発明の電源供給走行台車は、水平支持台の下面に複数の走行車輪を有する台車と、この台車に固定的に設けられた台車用把手と、前記水平支持台に固定的に設けられた脚状支持部材と、この脚状支持部材の上端部に水平軸部を介して揺動可能に設けられたソーラーパネルと、少なくとも前記ソーラーパネル又は前記水平支持台のいずれか一方に設けられ、かつ、前記ソーラーパネルが発電した電力を充電する電源を備える電源供給走行台車であって、前記ソーラーパネル乃至前記脚状支持部材の上端部には、該ソーラーパネルを少なくとも傾斜姿勢から略水平姿勢へと回動させる電動の角度変更手段が設けられ、この電動の角度変更手段は、前記脚状支持部材又は前記水平支持台のいずれかに設けられ、かつ、脚状支持部材又は前記水平支持台又は台車用把手のいずれかに設けられた制御部にその駆動が制御される駆動手段であり、この駆動手段は、前記電源を利用する電動モータを含み、この電動モータの駆動力によってシリンダ本体から進退動する作動杆の突出先端部は、前記ソーラーパネルの前記水平軸部から所要間隔離間した該ソーラーパネルの適宜箇所に軸支されていることを特徴とする（請求項５）。このように構成すると、ソーラーパネルで発電した電力を利用し、かつ、太陽光の入射角度に合わせてソーラーパネルの向きを自動的に傾倒させ、１日当たりの発電量を確実に増やすことができることである。
【００１３】
上記構成に於いて、駆動手段のシリンダ本体は、脚状支持部材に固定された上端開口の保持箱に差し込み自在に装着されていることを特徴とする（請求項６）。このように構成すると、駆動手段を可能な限り短時間で台車に装着することができる。
【発明の効果】
【００１４】
ソーラーパネル、駆動手段のシリンダ本体等を台車の脚状支持部材に、簡単かつ短時間に取付けることができると共に、手動又は電動により、ソーラーパネルの角度を変更させ、１日当たりの発電量を増やすことができる。
【図面の簡単な説明】
【００１５】
図１乃至図９は本発明の第１実施形態の各説明図。図１０乃至図１３は本発明の第２実施形態の各説明図。図１４乃至図１７は本発明の第３実施形態の各説明図。図１８乃至図２２は本発明の第４実施形態の各説明図。
【図１】本発明の第１実施形態の斜視図。
【図２】正面視からの説明図（台車、脚状支持部材、ソーラーパネル、接続コード、紐状連結部材等）
【図３】要部の斜視からの説明図（取付けベース板、変換器を含む電源供給ボックス、電源スタンド、電源等）。
【図４】（ａ）要部（電源と、変換器・コンセント・を含む電源供給ボックスとの接続態様）の概略断面説明図。（ｂ）  要部（接続コード、固定端子・電源の接続態様）の概略断面説明図。
【図５】ソーラーパネルの一例を示す正面視からの説明図。
【図６】一部を断面にした要部（ソーラーパネル、角度変更手段、紐状連結部材）の説明図。
【図７】要部（ソーラーパネル、角度変更手段、紐状連結部材）の連結状態を示す説明図。
【図８】角度の変更例を示す説明図で、（ａ）はソーラーパネルの一方の傾斜姿勢を示す説明図、（ｂ）はソーラーパネルの水平状態を示す説明図、（ｃ）はソーラーパネルの他方の傾斜姿勢を簡単に説明するブロック図。ソーラーパネルを取付ける前の台車の左側面図。脚状支持部材の上端部に設けた水平嵌合部の概略断面図。
【図９】電気回路を示す概念図。
【図１０】本発明の第２実施形態を示す斜視図。
【図１１】正面視からの要部の説明図（ソーラーパネルが略水平姿勢）。
【図１２】要部（角度変更手段）の説明図。
【図１３】ソーラーパネルの傾斜姿勢を示す要部の説明図。
【図１４】本発明の第３実施形態を示す斜視図。
【図１５】要部（角度変更手段）の分解説明図。
【図１６】正面視からの要部の説明図（ソーラーパネルが略水平姿勢）。
【図１７】ソーラーパネルの傾斜姿勢を示す要部の説明図。
【図１８】本発明の第４実施形態の斜視図。
【図１９】要部（脚状支持部材、ブラケット、電動の角度変更手段、ソーラーパネル、）の一例を示す説明図。
【図２０】電動の角度変更手段の構成を示す概略断面説明図。
【図２１】作用を示す説明図。
【図２２】制御系を示すブロック図。
【発明を実施するための形態】
【００１６】
まず、図１乃至図９を参照にして本発明の第１実施形態を説明する。図１は本発明の第１実施形態の斜視図である。図１に於いて、Ｘ１は、建物の屋上やベランダ、建物の敷地、船舶の甲板、畑、港、市場、避難場所等で利用することができる電源供給走行台車である。
【００１７】
まず１は、普通一般に、荷物を運搬する人が使用している形状・構造の台車である。したがって、この台車１は、水平支持台２の下面に合計４個の走行車輪３を有する。また、前記水平支持台２の後端部に台車用把手４が固定的に設けられている。
【００１８】
次に５は、水平支持台２の先端部寄りの部位又は中央部に固定的に設けられた複数本（例えば２本）の脚状支持部材で、これらの脚状支持部材５の上端部にソーラーパネル６が、任意形状の取付け板７、長板片状の短い垂下片８及び断面略円形の水平軸部９を介して揺動可能に設けられている。前記水平軸部９は角度変更手段の一方（オス部）を構成する。
【００１９】
次に１０は、少なくとも前記ソーラーパネル６又は前記水平支持台２のいずれか一方に設けられ、かつ、前記ソーラーパネル６が発電した電力を充電するケース状の電源（バッテリィー）である。実施形態では、電源１０は、台車１に着脱自在に設けられている。
【００２０】
すなわち、図３は、台車１の水平支持台２の先端部寄りの部位に固着具１１を介して固定された任意形状の取付けベース板１２と、この取付けベース板１２の上面に固定され、ケース状の電源１０の直流を交流に変換する変換器を含む電源供給ボックス１３と、同じく前記取付けベース板１２の上面に固定され、前記ケース状の電源１０の接続端子部１０ａを受け入れる上端開口１４ａのケース状の電源スタンド１４と、この電源スタンド１４に差し込み自在である前記ケース状の電源１０をそれぞれ示す。
【００２１】
ここで電源１０の接続端子部１０ａに関して、図４を参照に説明する。図４の（ａ）は、ケース状の電源１０と、コンセント１６・変換器１７を含む電源供給ボックス１３との接続態様を示す概略断面説明図、一方、  図４の（ｂ）は、接続コード１８、電源スタンド１４の内壁底面に突出状態に設けられた充電用固定端子１９及び電源１０の接続端子部１０ａとの接続態様を示す。
【００２２】
実施形態では、前記接続端子部は二種類ある。すなわち、図４の（ａ）で示すようにケース状の電源スタンド１４の凹所の一側壁に設けた直流を変換器１７に供給するための電源供給用固定端子１０ａと、該電源供給用固定端子とは別個の充電用固定端子１９である。
【００２３】
なお、前記電源供給用固定端子１０ａと変換器１７とコンセント１６は電気的に接続している。また、前記充電用固定端子１９は前述した接続コード１８の基端部１８ａに連結され、一方、前記接続コード１８の自由端部１８ｂには、連結部２１を介して可動端子２２が一体的に設けられている。
【００２４】
しかして、実施形態では、前記接続コード１８の自由端部１８ｂは、ソーラーパネル６に設けたソーラー端子２３に取り外し自在に係合し、ソーラーパネル６が発電した電力を、電源スタンド１４を介して電源（バッテリィー）１０に送ることができる。
【００２５】
次に図５を参照にしてソーラーパネル６の構成を説明する。ソーラーパネル６は、例えば扁平状の架台６ａと、この架台６ａの上面に左右・前後に整列された多数の太陽電池６ｂと、前記架台６ａの適宜箇所に設けられた複数個の接続端子６ｃとから成る。前記接続端子６ｃは、震災時の場合を配慮して、例えば携帯端末用の電気供給接続部となっている。
【００２６】
したがって、望ましくは前記扁平状の架台６ａの内部空間の一部に扁平矩形状の二電池２４を入れ、この二電池２４の端子にインバーターを接続し、携帯端末（例えばスマートフォン）は、該インバーターを介して交流電源を取得することもできる（実施形態）。また、ソーラーパネル６は矩形状のものが好ましいが、形状を限定するものではなく、例えば平面視トラック形状、四角形状、楕円形状等であっても良い。またソーラーパネル６は、単数又は複数枚であっても良い。
【００２７】
しかして、実施形態のソーラーパネル６は、図６で示すように、架台６ａの裏面の略中央部に固定的に突設され、かつ、前述した脚状支持部材５の凹所状水平嵌合部５ａに着脱自在に嵌合する水平軸部９を有する。前記水平軸部９は短い垂下片８を介して下方に突出し、パイプ状のものを単数（本実施形態）、又は、互いに離反して複数個有している。さらに、実施形態では、架台６ａの一端部の下面とその反対側の他端部の下面には、フック状又はリング状の第１連結具２５及び第２連結具２６がそれぞれ一対取り付けられている。
【００２８】
図７はソーラーパネル６が脚状支持部材５の凹所状水平嵌合部５ａに設置された後に、紐状連結部材３１の両端部をソーラーパネル６の左右一対の連結具２５、２６に連結した状態の説明図である。この図７から明らかなように、図５で示したソーラーパネル６は、その水平軸部９を脚状支持部材５の凹所状嵌合部５ａに嵌合させることができるので、きわめて簡単にソーラーパネル６を脚状支持部材５に装着することができる。しかも、ソーラーパネル６の水平軸部９は、凹所状水平嵌合部５ａに所定角度まで凹所状水平嵌合部５ａの内周面から摩擦抵抗を受けながら揺動可能である。
【００２９】
したがって、実施形態の角度変更手段は、単数又は複数の脚状支持部材５の上端部に設けられた断面凹所状嵌合部５ａと、ソーラーパネル６の下面に垂下片８を介して設けられ、かつ、前記断面凹所状嵌合部５ａに着脱自在に嵌合する水平軸部９である。
【００３０】
さらに、実施形態では、ソーラーパネル６が強風で上方に移動しないように紐、ベルト、線材等の紐状連結部材３１の一端部をソーラーパネル６の第１連結具２５に取付け、その中途部を脚状支持部材５の固定支持部（又は可動の係合部）３２に支持させると共に、他端部を前記ソーラーパネル６の第２連結具２６に取り付ける。
【００３１】
前記紐状連結部材３１は、その両端部にフック部３２ａ、３２ａを有するゴム製の弾性紐が用いられている。このゴム製の弾性紐３１を用いることにより、ソーラーパネル６の左右両端部にテンションを掛けることができる。またフック部３２ａ、３２ａは第１連結具２５及び第２連結具２６に簡単に係脱するので、短時間で、ソーラーパネル６を脚状支持部材５に支持させることができる。
【００３２】
以上の通り、本発明は、前記水平軸部９はソーラーパネル６の略中央部に設けられ、また、前記脚状支持部材５の適宜箇所に固定又は可動式の係合部３２を設け、さらに、紐状連結部材３１の一端部をソーラーパネル６の一端部側の第１連結具２５に取付け、その中途部を前記係合部３２に係合させた状態で他端部を前記ソーラーパネル６の他端部側の第２連結具２６に取り付けたことも特徴事項である。
【００３３】
次に図８は、ソーラーパネル６の角度を手動で変更する場合の説明図である。（ａ）はソーラーパネル６の傾斜姿勢を示す説明図、（ｂ）ソーラーパネル６の水平状態を示す説明図である。なお、特に詳細に図示しないが、（ｃ）で示すように、手動でソーラーパネル６を一方の傾斜姿勢（午前中）から他方の傾斜姿勢（午後）に変位させることもできる。もちろん、一方の傾斜姿勢のままで、台車１の向きを変えることもできる。
【００３４】
ソーラーパネル６の角度を変更する場合には、ソーラーパネル６は、その水平軸部９の図示しない水平軸線を中心に回動可能であるから、例えばソーラーパネル６を３０度〜４０度の範囲で任意に傾斜させると、朝から太陽光線を十分に受けることができる。
【００３５】
最後に図９は、電気回路を示す概念図である。この概念図の詳細説明は割愛する。この図９に於いて、スイッチを含む電気を利用する物２９とは、外部の電気機器を意味し、例えば電気釜、電気髭剃り、照明器具、扇風機、携帯端末などである。例えば地震時に停電した場合には、台車１の電源供給ボックス１３のコンセント、又はソーラーパネル６の接続端子６ｃを適宜に選択して、例えば電気釜でご飯を炊くことができる。
【実施例】
【００３６】
この欄では、第２実施形態、第３実施形態等の他の実施形態について説明する。なお、他の実施形態を説明するに当たって、第１実施形態と同一又は同様の符号を付し、重複する説明を割愛する。
まず、図１０乃至図１３は本発明の第２実施形態の各説明図である。この第２実施形態の電源供給台車Ｘ２が前記電源供給台車Ｘ１主に異なる点は、
（ａ）ソーラーパネル６の裏面に設けた水平軸部９の位置を変え、例えば一端部或いは一端部寄りの部位に設けている。
（ｂ）脚状支持部材５と、凹所状水平嵌合部５ａが、斜め上方方向に向いている。付言すると、水平軸部９が凹所状水平嵌合部５ａからそのまま真上に抜けないように、前記凹所状水平嵌合部５ａを斜め方向に開口させ、垂下片８及び水平軸部９の向きも、前記凹所状水平嵌合部５ａに整合させたことである。
（ｃ）一対の脚状支持部材５を台車用把手４の付近に立設している。
（ｄ）ソーラーパネル６を傾斜姿勢及び略水平姿勢に支持することができる角度変更手段を構成する紐状連結部材３１を「平面視略コ字形状の所定長の連結杆３１Ａ」に代えている。
（ｅ）連結杆３１Ａの一端部が係入する第１係止穴３５をソーラーパネル６の架台６ａの略中央部に１個設け、一方、前記連結杆３１Ａの他端部が係入する第２係止穴３６を脚状支持部材５に複数個上下方向に所定間隔を有して設け、上方の第２係止穴３６はソーラーパネル６を略水平状態に支持する支持部として利用され（図１１を参照）、一方、下方の第２係止穴３６はソーラーパネル６が傾斜姿勢に支持する支持部として利用される（図１３を参照）ように構成したことである。このように構成しても、電源供給台車Ｘ１と同一の作用・効果を得ることができる。
【００３７】
次に、図１４乃至図１７は第３実施形態の電源供給台車Ｘ３の各説明図である。この電源供給台車Ｘ３が前記電源供給台車Ｘ１と主に異なる点は、次のとおりである。
【００３８】
（イ）ソーラーパネル６の裏面に設けた水平軸部９の位置を変え、例えば一端部（一端部寄りの部位も含む）の中央部に蝶番手段４１設けたことである。しかして、水平軸部９は、蝶番手段４１の中心軸であり、該蝶番手段４１の一方の端板４１ａは前記裏面に固着具を介して固定されている。そして、該蝶番手段４１の他方の可動端板４１ｂの背面には、キャップ状の嵌合筒４２の外周面が固定されている。嵌合筒４２は、例えば溶着により他方の端板４１ｂに固定されている。なお、この実施形態では、脚状支持部材５が１本なので、蝶番手段４１は一個であるが、前記脚状支持部材５が２本の場合には蝶番手段４１は、合計２個となる。
【００３９】
（ロ）また、ソーラーパネル６の裏面の中央部或いは他端部には、枢支部材としての枢支ピン４３を有する軸受け４４が固定されている。枢支ピン４３は、設計如何によって、固定又は回転可能に設けられる。
【００４０】
（ハ）一本の脚状支持部材５が、供給装置Ｘ１と同様に、台車用把手４の付近に立設されている。そして、脚状支持部材５には、少なくとも、ソーラーパネル６を略水平姿勢に支持するために使用される上方の支持孔４５と、前記ソーラーパネル６を傾斜姿勢に支持するための下方の支持孔４６がそれぞれ形成されている。これらの支持孔４５、４６は貫通小孔であり、図１４で示したＬ型状の係止棒４７が選択的に差し込まれる。前記係止棒４７は、例えば図１６及び図１７で示すように、支持孔４５、４６にそれぞれ完全に差し込まれ、いわゆるストッパーの役割を果たす。
【００４１】
（ニ）ソーラーパネル６を傾斜姿勢及び略水平姿勢に支持することができる角度変更手段を構成する部材として、前記係止棒４７に差し込まれ、かつ、１本の支持腕４９を介して前記枢支ピン４３に接続する完全筒状の調整筒４８が用いられている。この調整筒４８は、脚状支持部材５にスライド自在に外嵌合する。
【００４２】
（ホ）上記構成に於いて、供給装置Ｘ１と同様に、ソーラーパネル６を脚状支持部材５に着脱自在に嵌合する場合には、まず、調整筒４８を脚状支持部材５の上端部から嵌め込む。次に、ソーラーパネル６を略水平姿勢に支持する場合には、係止棒４７を上方の支持孔４５に串状に差し込み、係止棒４７の外面に調整筒４８の下端面を載せる。このように構成すると、供給装置Ｘ、Ｘ１と同様に、簡単かつ短時間でソーラーパネル６を脚状支持部材５に装着することができる。
【００４３】
（ヘ）一方、正午が過ぎ、太陽が西側に向かった場合には、所望する時間に、前記係止棒４７を脚状支持部材５から抜き取り、今度は下方の支持孔４６に差し込む。そして、図１６で示したように、係止棒４７の外面に調整筒４８の下端面を載せる。
以上のように電源供給台車Ｘ３を構成しても、電源供給台車Ｘ１等と同一の作用・効果を得ることができる。
【００４４】
上記電源供給台車Ｘ３は、ソーラーパネル６を少なくとも傾斜姿勢から略水平姿勢へと回動させる角度変更手段を有し、この角度変更手段は、脚状支持部材５に形成された略水平姿勢用の上方の支持孔４５及び傾斜姿勢用下方の支持孔４６と、これらの支持孔に選択的に差し込まれる係止棒４７と、この係止棒に止められ、かつ、脚状支持部材５にスライド自在に外嵌合する調整筒４８と、この調整筒に下端部が枢支され、一方、上端部が前記ソーラーパネルに取付けられ枢支部材に軸支された支持腕４９と、前記枢支部材に対して所定間隔離れていると共に、ソーラーパネル６の一端部側に取付けられた蝶番手段４１と、この蝶番手段の可動端板４１ｂに固定され、前記脚状支持部材５の上端部に固定的に嵌合する栓状或いはキャップ状の嵌合筒４２とから成る。
【００４５】
最後に、図１８乃至図２２は本発明の第４実施形態の各説明図である。この電源供給台車Ｘ４が前記電源供給台車Ｘ１と主に異なる点は、ソーラーパネル６の角度変更を自動的に行うにようにしたことである。
【００４６】
すなわち、この電源供給台車Ｘ４は、水平支持台２の下面に複数の走行車輪３を有する台車１と、この台車１に固定的に設けられた台車用把手４と、前記水平支持台２に固定的に設けられた脚状支持部材５と、この脚状支持部材５の上端部に水平軸部９を介して揺動可能に設けられたソーラーパネル６と、少なくとも前記ソーラーパネル６又は前記水平支持台２のいずれか一方に設けられ、かつ、前記ソーラーパネル６が発電した電力を充電する電源１０を備える。
【００４７】
そして、前記ソーラーパネル６乃至前記脚状支持部材５の上端部には、該ソーラーパネル６を少なくとも傾斜姿勢から略水平姿勢へと回動させる電動の角度変更手段５１が設けられ、この電動の角度変更手段５１は、前記脚状支持部材５又は前記水平支持台２のいずれかに設けられ、かつ、脚状支持部材５又は前記水平支持台２又は台車用把手４のいずれかに設けられた制御部５０に、その駆動が制御される駆動手段であり、この駆動手段５１は、電源１０を利用する電動モータ５３を含み、この電動モータ５３の駆動力によってシリンダ本体５４から進退動する作動杆５５の突出先端部は、前記ソーラーパネル６の前記水平軸部９から所要間隔離間した該ソーラーパネル６の適宜箇所に軸支されている。なお、電動モータ５３の回転運動は、その出力軸５３ａ、この出力軸の突出端部に接続する所定長の螺杆５３ｂを介して作動杆５５の直線運動に変換される。
【００４８】
上記構成に於いて、望ましくは、前記駆動手段５１のシリンダ本体５４は、第１実施形態の電源スタンド１４と同様に構成の上端開口の保持箱１４Ａに差し込み自在に装着されている。保持箱１４Ａは、好ましくは脚状支持部材に回動可能に軸支されている。
【００４９】
図２２は、制御系のブロック図である。制御部５０は、脚状支持部材５の上端部の適宜箇所に設けられた付番の第１検知手段及び第２検知手段がそれぞれ検出した検知信号を、入力部５０ａを介して取得する。制御部５０は、演算処理部、メインプログラム、ワークプログラム等を記憶した記憶部、計時部及び判定部を有し、判定結果を、出力部５０ｂを介して駆動手段５１に出力する。
【００５０】
上記第１検知手段及び第２検知手段の各検知信号は、制御部５０が駆動手段５１をストップさせるための「ストップ信号」なので、制御部５０は前記計時部からのカウント情報に基づき、所定時間経過後に、前記駆動手段５１を「正回転から逆回転へ」又は「逆回転から正回転へ」と回転方向を制御する。
【００５１】
したがって、前記駆動手段５１は、前記制御部５０の制御信号によって、かつ、その起動と停止が制御される。望ましくは、制御部５０は、間欠的（例えば１５分毎、３０分毎、一時間毎）に駆動信号を駆動手段５１に送り、ソーラーパネルを徐々に太陽を追尾するように回転させる。
【産業上の利用可能性】
【００５２】
本発明は、平常時や非常時の時、電源供給走行台車として利用される。
【符号の説明】
【００５３】
Ｘ１、Ｘ２、Ｘ３、Ｘ４…電源供給走行台車、
１…台車、
２…水平支持台、
３…走行車輪、
４…台車用把手、
５…脚状支持部材、
６…ソーラーパネル、
８…垂下片、
９…水平軸部、
１０…電源（バッテリィー）、
１０ａ…接続端子、
５ａ、９、５１…角度変更手段（断面凹所状嵌合部と水平軸部）。
【図１】
2020082832.tif 000003
【図２】
2020082832.tif 000004
【図３】
2020082832.tif 000005
【図４】
2020082832.tif 000006
【図５】
2020082832.tif 000007
【図６】
2020082832.tif 000008
【図７】
2020082832.tif 000009
【図８】
2020082832.tif 000010
【図９】
2020082832.tif 000011
【図１０】
2020082832.tif 000012
【図１１】
2020082832.tif 000013
【図１２】
2020082832.tif 000014
【図１３】
2020082832.tif 000015
【図１４】
2020082832.tif 000016
【図１５】
2020082832.tif 000017
【図１６】
2020082832.tif 000018
【図１７】
2020082832.tif 000019
【図１８】
2020082832.tif 000020
【図１９】
2020082832.tif 000021
【図２０】
2020082832.tif 000022
【図２１】
2020082832.tif 000023
【図２２】
2020082832.tif 000024